(57)【特許請求の範囲】
【請求項１】
（１）点刻、線刻、穿孔の少なくとも一つによって絵柄及び／又は文字が形成された複数枚の導光板と、これら導光板の１枚１枚に対応して配設され、対応する導光板内へ光を投射することができる複数のＬＥＤとを有する画像表示部と、（２）複数のＬＥＤが配設される回転板を有する回転部と、（３）該回転部を回転させるモーターと、（４）該画像表示部及び該回転部の複数のＬＥＤの発光及び／又は点滅を制御する制御手段と、（５）電源手段とを備え、該モーターに連結された該回転部の前面に、該画像表示部が回転不能なように配設され、該画像表示部の複数の導光板が積層状態に配設され、該電源がＯＮとなると、該回転部が回転すると共に、該回転部の複数のＬＥＤが任意及び／又は所定の順番で発光及び／又は点滅し、更に該画像表示部の複数のＬＥＤが任意及び／又は所定の順番で発光及び／又は点滅することにより、回転する光の模様を背景に、絵柄及び／又は文字の画像が表示されることを特徴とする画像表示玩具。
【請求項２】
請求項１において、前記複数の導光板の各々には、当該複数の導光板全体で動画を構成するように、当該動画の１コマ１コマを構成する前記絵柄が形成され、一方、前記制御手段は、該動画を表示することができるように所定の順番で前記複数のＬＥＤの点滅を制御するように構成されることを特徴とする画像表示玩具。
【請求項３】
請求項１又は請求項２において、前記回転部に、羽根部材が配設されることを特徴とする画像表示玩具。
【請求項４】
（１）点刻、線刻、穿孔の少なくとも一つによって絵柄及び／又は文字が形成された複数枚の導光板と、これら導光板の１枚１枚に対応して配設され、対応する導光板内へ光を投射することができる複数のＬＥＤとを有する画像表示部と、（２）該画像表示部の複数のＬＥＤの発光及び／又は点滅を制御する画像表示部制御手段と、（３）複数のＬＥＤが配設される回転板と、該複数のＬＥＤの発光及び／又は点滅を制御する回転部制御手段と、該ＬＥＤを発光及び／又は点滅させる為の第１の電源手段とを有する回転部と、（４）該回転部を回転させるモーターと、（５）該モーターを駆動させ、該画像表示部の複数のＬＥＤを点滅させる為の第２の電源手段とを備え、該モーターに連結された該回転部の前面に、該画像表示部が回転不能なように配設され、該画像表示部の複数の導光板が積層状態に配設され、該第２の電源がＯＮになると、該回転部が回転すると共に、該表示部の複数のＬＥＤが任意及び／又は所定の順番で発光及び／又は点滅し、更に、該第１の電源が該回転の遠心力によってＯＮとなり、該回転部の複数のＬＥＤが任意及び／又は所定の順番で発光及び／又は点滅することにより、回転する光の模様を背景に、絵柄及び／又は文字の画像が表示されることを特徴とする画像表示玩具。
【請求項５】
請求項４において、前記複数の導光板の各々には、当該複数の導光板全体で動画を構成するように、当該動画の１コマ１コマを構成する前記絵柄が形成され、一方、前記制御手段は、該動画を表示することができるように所定の順番で前記複数のＬＥＤの点滅を制御するように構成されることを特徴とする画像表示玩具。
【請求項６】
請求項４又は請求項５において、前記回転部に、羽根部材が配設されることを特徴とする画像表示玩具。
【発明の詳細な説明】
【０００１】
【発明の属する技術分野】
本発明は、回転するＬＥＤの光の背景と共に、画像を表示することのできる、ＬＥＤを用いた画像表示玩具であり、更に扇風機としても利用できる玩具に関するものである。
【０００２】
【従来の技術】
ＬＥＤを用いた画像表示装置、画像表示玩具には、各導光板に異なる文字や絵柄を表示しておき、所定の条件が満たされた場合に、それに対応した文字や絵柄を持つ導光板内にＬＥＤから光を投射し、その文字や絵柄を表示するようにした表示装置や、また当該複数の導光板全体で動画を構成するように、当該動画の１コマ１コマを構成する前記画像が形成され、動画像を表示するようにした動画表示玩具も知られている。
【０００３】
【発明が解決しようとする課題】
しかしながら、従来の画像表示装置、画像表示玩具は、所定の画像のみが表示されるだけなので、次第に飽きてきて、興醒めしてしまうものであった。
【０００４】
本発明は、かかる点に鑑みなされたもので、簡易な構成でもって、飽きが来ず、変化を楽しむことができ、更に実用性も兼ねた画像表示玩具を提供することを目的としている。
【０００５】
【課題を解決するための手段】
請求項１記載の発明は、画像表示玩具であって、（１）点刻、線刻、穿孔の少なくとも一つによって絵柄及び／又は文字が形成された複数枚の導光板と、これら導光板の１枚１枚に対応して配設され、対応する導光板内へ光を投射することができる複数のＬＥＤとを有する画像表示部と、（２）複数のＬＥＤが配設される回転板を有する回転部と、（３）該回転部を回転させるモーターと、（４）該画像表示部及び該回転部の複数のＬＥＤの発光及び／又は点滅を制御する制御手段と、（５）電源手段とを備え、該モーターに連結された該回転部の前面に、該画像表示部が回転不能なように配設され、該画像表示部の複数の導光板が積層状態に配設され、該電源がＯＮとなると、該回転部が回転すると共に、該回転部の複数のＬＥＤが任意及び／又は所定の順番で発光及び／又は点滅し、更に該画像表示部の複数のＬＥＤが任意及び／又は所定の順番で発光及び／又は点滅することにより、回転する光の模様を背景に、絵柄及び／又は文字の画像が表示されることを特徴とする。
【０００６】
本発明によれば、前記回転部複数のＬＥＤが回転しながら、任意及び／又は所定の順番で発光及び／又は点滅するので、様々な光の模様を演出することができ、とても美しく、興味深いものである。更にその上に、前記絵柄及び／又は文字の画像が表示されるので、より一層楽しく、面白味のある、飽きのこない玩具を提供することができる。
【０００７】
請求項２記載の発明は、請求項１記載の画像表示玩具であって、前記複数の導光板の各々には、当該複数の導光板全体で動画を構成するように、当該動画の１コマ１コマを構成する前記絵柄が形成され、一方、前記制御手段は、該動画を表示することができるように所定の順番で前記複数のＬＥＤの点滅を制御するように構成されることを特徴とする。
【０００８】
本発明によれば、簡易な構成でもって、動画を表示させ、１つの内容表現が行えることになり、より楽しく面白い玩具を提供することができる。
【０００９】
請求項３記載の発明は、請求項１又は請求項２記載の画像表示玩具であって、前記回転部に、羽根部材が配設されることを特徴とする。
【００１０】
本発明によれば、前記回転部の回転と共に、前記羽根部材も回転することにより、該近辺に風を生じさせ、扇風機としての機能も有し、実用性をも有する玩具を提供することができる。
【００１１】
請求項４記載の発明は、画像表示玩具であって、（１）点刻、線刻、穿孔の少なくとも一つによって絵柄及び／又は文字が形成された複数枚の導光板と、これら導光板の１枚１枚に対応して配設され、対応する導光板内へ光を投射することができる複数のＬＥＤとを有する画像表示部と、（２）該画像表示部の複数のＬＥＤの発光及び／又は点滅を制御する画像表示部制御手段と、（３）複数のＬＥＤが配設される回転板と、該複数のＬＥＤの発光及び／又は点滅を制御する回転部制御手段と、該ＬＥＤを発光及び／又は点滅させる為の第１の電源手段とを有する回転部と、（４）該回転部を回転させるモーターと、（５）該モーターを駆動させ、該画像表示部の複数のＬＥＤを点滅させる為の第２の電源手段とを備え、該モーターに連結された該回転部の前面に、該画像表示部が回転不能なように配設され、該画像表示部の複数の導光板が積層状態に配設され、該第２の電源がＯＮになると、該回転部が回転すると共に、該表示部の複数のＬＥＤが任意及び／又は所定の順番で発光及び／又は点滅し、更に、該第１の電源が該回転の遠心力によってＯＮとなり、該回転部の複数のＬＥＤが任意及び／又は所定の順番で発光及び／又は点滅することにより、回転する光の模様を背景に、絵柄及び／又は文字の画像が表示されることを特徴とする。
【００１２】
本発明によれば、簡単な構成で、回転する前記回転部の複数のＬＥＤに電力を供給することができる。そして、第１の電源が回転の遠心力によってＯＮとなる構成によって、前記回転部が回転すると電力が供給され、回転が止まると、電力供給が断たれる為、該ＬＥＤに対してより効果的な電源供給を実現できる。
【００１３】
請求項５記載の発明は、請求項４記載の画像表示玩具であって、前記複数の導光板の各々には、当該複数の導光板全体で動画を構成するように、当該動画の１コマ１コマを構成する前記絵柄が形成され、一方、前記制御手段は、該動画を表示することができるように所定の順番で前記複数のＬＥＤの点滅を制御するように構成されることを特徴とする。
【００１４】
本発明によれば、簡易な構成でもって、動画を表示させ、１つの内容表現が行えることになり、より楽しく面白い玩具を提供することができる。
【００１５】
請求項６記載の発明は、請求項４又は請求項５記載の画像表示玩具であって、前記回転部に、羽根部材が配設されることを特徴とする。
【００１６】
本発明によれば、前記回転部の回転と共に、前記羽根部材も回転することにより、該近辺に風力を生じさせ、扇風機としての機能も有し、実用性をも有する玩具を提供することができる。
【００１７】
【発明の実施の形態】
本発明は画像表示玩具であって、（１）点刻、線刻、穿孔の少なくとも一つによって絵柄及び／又は文字が形成された複数枚の導光板と、これら導光板の１枚１枚に対応して配設され、対応する導光板内へ光を投射することができる複数のＬＥＤとを有する画像表示部と、（２）該画像表示部の複数のＬＥＤの発光及び／又は点滅を制御する画像表示部制御手段と、（３）複数のＬＥＤが配設される回転板と、該複数のＬＥＤの発光及び／又は点滅を制御する回転部制御手段と、該ＬＥＤを発光及び／又は点滅させる為の第１の電源手段と、羽根部材とを有する回転部と、（４）該回転部を回転させるモーターと、（５）該モーターを駆動させ、該画像表示部の複数のＬＥＤを点滅させる為の第２の電源手段とを備え、該モーターに連結された該回転部の前面に、該画像表示部が回転不能なように配設され、該画像表示部の複数の導光板は積層状態に配設され、該第２の電源がＯＮになると、該回転部が回転すると共に、該第１の電源が該回転の遠心力によってＯＮとなり、該回転部の複数のＬＥＤが任意及び／又は所定の順番で発光及び／又は点滅し、更に該表示部の複数のＬＥＤが任意及び／又は所定の順番で発光及び／又は点滅することにより、回転する光の模様を背景に、絵柄及び／又は文字の画像が表示される。また、前記複数の導光板の各々には、当該複数の導光板全体で動画を構成するように、当該動画の１コマ１コマを構成する前記絵柄が形成され、一方、前記制御手段は、該動画を表示することができるように所定の順番で前記複数のＬＥＤの点滅を制御するように構成しても良い。
【００１８】
【実施例】
以下、図面に基づいて、本発明の実施例に係る画像表示玩具について説明する。
図１は、本発明の実施例に係る画像表示玩具の外観斜視図である。画像表示玩具１は、片手で握って扇風機として用いることができるように構成され、本体２の上部に、回転部４が配設され、回転部４には、透光性を有し且つ可撓性を有するウレタン等の素材で形成された羽根部材４０が配設され、更に、回転部４の前面には、画像表示部３が配設される。また、本体２の側面には、スライド式の電源スイッチ２０が配設される。
【００１９】
次に、画像表示玩具１の内部構造について説明する。図２は、画像表示玩具１の分解斜視図である。本体２には、合成樹脂等で構成された前部カバー部材２１と後部カバー部材２２の内部に、モーター５と、電池７とが収装され、更にモーター５、電池７、及び電源スイッチ２０に接続されるＩＣ基板６とが収装される。ＩＣ基板６には、図示しないＩＣが配設される。
尚、後述する画像表示部３を配設する為、前部カバー部材２１には配設孔２１０が配設され、後部カバー部材２２には、配設溝２２０が突設される。
モーター５は、回転部４を回転させる為のものであり、回転軸にギア５０が周設される。
【００２０】
回転部４は、円筒状の回転台４２に、該回転台４２と同程度の大きさの円形状の基板４１が重装される。
回転台４２の中心部分には、後述する画像表示部３を配設する為、配設孔４２０が配設される。
更に、羽根部材４０の両端が、回転台４２の中心部分に対して対照に、回転台４２から延出するよう羽根部材４０が回転台４２に配設され、且つ風を効率よく発生させるよう羽根部材４０の両羽根部分が、回転台４２の側面に対してそれぞれ斜交するように配設される為、側面に配設溝４２１が、中心に対して対照に配設される。
また、回転台４２の後部には、モーター５のギア５０に歯合するギア４３が配設される。更に、ギア４３は、後述する画像表示部３を配設する為、中空状に形成され、該中空部分は回転台４２の配設孔４２０と連通する。
羽根部材４０の中心部分には、後述する画像表示部３を配設する為、配設孔４００が配設される。そして、回転台４２の配設溝４２１に、羽根部材４０の両羽根部分がそれぞれ配設され、該両羽根部分は、回転台４２から延出し、曲面をなす形状に形成される。
【００２１】
基板４１には、前部に複数のＬＥＤ４１ａ，４１ｂ，４１ｃ，４１ｄが配設され、後部にはボタン電池４１１が配設され、更に、図示しないＬＥＤ４１ａ，４１ｂ，４１ｃ，４１ｄの発光や点滅を制御するＩＣと、該ＩＣとボタン電池４１１とに接続される電源スイッチ４１２とが配設される。そして、ＬＥＤ４１ａ，４１ｂ，４１ｃ，４１ｄは、該ＩＣによって、所定の順番、所定のタイミングで発光、点滅されるよう制御される。
尚、ＬＥＤ４１ａ，４１ｂ，４１ｃ，４１ｄの発光する色は、赤色、青色、緑色、橙色、黄色、その他の任意の色であって良い。
また、基板４１の中心部分には、後述する画像表示部３を配設する為、配設孔４１０が配設される。
【００２２】
電源スイッチ４１２は、図５に示すように、長方体状のバネ箱４１２０の内部に、バネ４１２１が収納され、一端４１２１ｂがバネ箱４１２０の一端に固設される。そしてバネ４１２１の他端４１２１ａは可動となっており、一方バネ箱４１２０の他端には、導電部分４１２２が配設される。この電源スイッチ４１２が、基板４１に配設されて、回転部４が回転すると、その時発生する遠心力によって、バネ４１２１の他端４１２１ａが傾斜し、バネ箱４１２０に配設された導電部分４１２２に接触する。従って電源がＯＮとなり、ＬＥＤ４１ａ，４１ｂ，４１ｃ，４１ｄに電力が供給される。
尚、電源スイッチ４１２は、円状の基板４１の中心を通る直線を仮想設定すると、該直線上に、バネ箱４１２０及びバネ４１２１の中央部分が位置し、且つ該直線とバネ箱４１２０及びバネ４１２１とが垂直に交わるような位置に配設されるのが望ましい。
また、図５は、電源スイッチ４１２を示す図であるが、説明の為、他の部材は省略してある。
尚、電源スイッチ４１２は、回転部４の回転時に発生する遠心力によって、電源がＯＮとなる構成であれば、上述の通りでなくても良い。
【００２３】
画像表示部３には、透光性を有する合成樹脂等で構成された前部カバー部材３２と、合成樹脂等で構成された後部カバー部材３３の内部に、絵や文字等の画像表示する為の導光板３０と、それに対応するＬＥＤ３０ａと、絵や文字等の画像表示する為の導光板３１と、それに対応するＬＥＤ３１ａとが収装される。ＬＥＤ３０ａ及びＬＥＤ３１ａは、ＩＣ基板６に接続され、ＩＣ基板６に配設されたＩＣによって、所定の順番、所定のタイミングで発光、点滅されるよう制御される。
【００２４】
導光板３０及び導光板３１は、透光性を有する合成樹脂等の素材で構成され、図４（Ａ），（Ｂ）に示すように、それぞれ表面に人形の絵柄が穿孔にて形成されており、符号Ｈはその孔である。そして、それぞれ下部に、ＬＥＤ３０ａ，ＬＥＤ３１ａが配設される。そして、図４（Ｃ）は、導光板３０及び導光板３１を下から見た平面図、図４（Ｄ）は、導光板３０及び導光板３１を横から見た平面図であるが、該図に示すように、導光板３０及び導光板３１は積層状態に重層される。
そして、ＬＥＤ３０ａが発光すると、導光板３０に形成された孔Ｈの内壁に光が反射し、複数の孔Ｈによって形成された人形の絵柄が視認できる。導光板３１も同様である。
【００２５】
また、後部カバー部材３３の後部には、本体２に固設する為、配設突起３３０が形成される。更に、配設突起３３０は中空に形成され、この中空部分に、ＬＥＤ３０ａ，ＬＥＤ３１ａからＩＣ基板６に接続される電気線が収納される。
そして、図３に示すように、画像表示部３は、回転部４の前面に位置され、配設突起３３０が、回転部４の羽根部材４０の配設孔４００、回転台４２の配設孔４２０、本体２の前部カバー部材２１の配設孔２１０に挿通し、配設突起３３０の先端が、本体２の後部カバー部材２２の配設溝２２０に嵌合することによって、本体２に固設される。従って、画像表示部３は、回転部３の前面に、回転不能なように配設される。また、このとき、配設突起３３０にモーター５を配設し、モーター５のギア５０と回転部４のギア４３とが歯合するよう配設すれば、コンパクトに各部材を本体２に収装できる。
【００２６】
次に、画像表示玩具１の作用を説明する。電源スイッチ２０をＯＮにすると、モーター５が駆動され、回転部４が羽根部材４０と共に回転する。また、画像表示部３のＬＥＤ３０ａ，３１ａが、ＩＣ基板６のＩＣに制御されて、所定の順番、所定のタイミングで発光、点滅する。それと同時に、回転部４に配設された電源スイッチ４１２が、該回転によって発生する遠心力によって、ＯＮとなる。すると、回転部４のＬＥＤ４１ａ，４１ｂ，４１ｃ，４１ｄが、ＩＣ基板４１のＩＣに制御されて、所定の順番、所定のタイミングで発光、点滅する。これによって、回転部４においては、様々に変化する光の模様を視認でき、画像表示部３においては、導光板３０、導光板３１に形成された画像が所定の順番、タイミングで視認することができ、従って、風の発生と共に、様々に変化する光の模様を背景に、人形等の絵柄の画像を楽しむことができる。
【００２７】
また、導光板３０、導光板３１のそれぞれに、この導光板全体で動画を構成するように、該動画の１コマ１コマを構成する絵柄を形成するようにしても良い。例えば、導光板３０に左足を上げている人形の絵柄を形成し、導光板３１に右足を上げている人形の絵柄を形成し、ＬＥＤ３０ａ，ＬＥＤ３１ａを交互に点滅させるようにすれば、恰も人形が歩いているかのような動画を視認することができる。更に、導光板の数を増やして、より複雑な動画を表現できるよう構成しても良い。また、導光板には、文字や記号、標章等を形成しても良い。また更に、導光板３０，３１に絵柄や文字等を形成する方法は、上述の通りの穿孔でなくても良く、点刻、線刻であっても良い。
【００２８】
以上、好ましい実施例を挙げて本発明を説明したが、本発明はその実施例に限定されるものではなく、特許請求の範囲に記載した技術的範囲内で種々に改変できる。
【００２９】
【発明の効果】
本発明は、以上説明したような形態で実施され、次のような効果を有する。
【００３０】
本発明によれば、前記回転部複数のＬＥＤが回転しながら、任意及び／又は所定の順番で発光及び／又は点滅するので、様々な光の模様を演出することができ、とても美しく、興味深いものである。更にその上に、前記絵柄及び／又は文字の画像が表示されるので、より一層楽しく、面白味のある、飽きのこない玩具を提供することができる。
【００３１】
本発明によれば、簡易な構成でもって、動画を表示させ、１つの内容表現が行えることになり、より楽しく面白い玩具を提供することができる。
【００３２】
本発明によれば、前記回転部の回転と共に、前記羽根部材も回転することにより、該近辺に風力を生じさせ、扇風機としての機能も有し、実用性をも有する玩具を提供することができる。
【００３３】
本発明によれば、簡単な構成で、回転する前記回転部の複数のＬＥＤに電力を供給することができる。そして、第１の電源が回転の遠心力によってＯＮとなる構成によって、前記回転部が回転すると電力が供給され、回転が止まると、電力供給が断たれる為、該ＬＥＤに対してより効果的な電源供給を実現できる。
【図面の簡単な説明】
【図１】    本発明の一実施形態における一実施例の画像表示玩具を示す斜視図。
【図２】    同実施例の画像表示玩具の分解斜視図。
【図３】    同実施例の画像表示玩具の側部断面図。
【図４】    同実施例の画像表示玩具の導光板を示す図で、（Ａ）は導光板３０の正面図、（Ｂ）は導光板３１の正面図、（Ｃ）は導光板３０及び導光板３１を下から見た平面図、（Ｄ）は導光板３０及び導光板３１を横から見た平面図。
【図５】    同実施例の画像表示玩具の回転部に配設される電源スイッチを示す斜視図。
【符号の説明】
１          画像表示玩具
２          本体
２０        電源スイッチ
２１        前部カバー部材
２１０      配設孔
２２        後部カバー部材
２２０      配設溝
３          画像表示部
３０        導光板
３１        導光板
３２        前部カバー部材
３２０      配設孔
３３        後部カバー部材
３３０      配設突起
４          回転部
４０        羽根部材
４００      配設孔
４１        基板
４１０      配設孔
４１１      ボタン電池
４１２      電源スイッチ
４１２０    バネ箱
４１２１    バネ
４１２１ｂ  バネ一端
４１２１ａ  バネ他端
４１２２    導電部分
４２        回転台
４２０      配設孔
４２１      配設溝
４３        ギア
５          モーター
５０        ギア
６          ＩＣ基板
７          電池
Ｈ          孔
【図１】
0003770316.tif 000002
【図２】
0003770316.tif 000003
【図３】
0003770316.tif 000004
【図４】
0003770316.tif 000005
【図５】
0003770316.tif 000006